(57)【要約】【課題】画像データの出力中に、この出力が遮断された後、出力可能な状態になったとき、出力する画像データを出力中であった画像データ以外からも選択できるようにする。【解決手段】出力する画像データの選択として、３つのメニューから選択できる。他の画像データを選択したい場合は、メニュー１を選択する。出力中であった画像データを含めて保存されている全ての画像データあるいは指定した１つの画像データのいずれかを選択できる。出力中であった画像データを出力したい場合は、メニュー２、３を選択する。メニュー２では、指定したページから出力を再開できる。メニュー３では、出力中のページを含めるか含めないかを指定できる。【選択図】図９
2007248966.tif 000002
【特許請求の範囲】
【請求項１】
画像データを入力する入力手段と、入力された画像データを保存する保存手段と、保存された画像データを処理して出力する出力手段と、出力手段から出力中にこの出力が遮断された後、出力可能な状態になったとき、出力する画像データを保存されている画像データの中から選択する選択手段とを備えたことを特徴とする画像処理装置。
【請求項２】
選択手段は、出力を遮断された画像データおよび待機中の画像データの中から選択することを特徴とする請求項１記載の画像処理装置。
【請求項３】
選択手段は、複数の画像データを選択可能とされたことを特徴とする請求項２記載の画像処理装置。
【請求項４】
選択手段は、出力を遮断された画像データを選択したとき、出力を再開するページを指定することを特徴とする請求項２記載の画像処理装置。
【請求項５】
選択手段は、出力が遮断されたときに出力中であったページを指定することを特徴とする請求項４記載の画像処理装置。
【請求項６】
出力手段が画像をシート材に印刷して出力する場合、選択手段は、出力が遮断されたときのシート材のジャム状況に応じて出力中であったページを決めることを特徴とする請求項５記載の画像処理装置。
【請求項７】
出力が遮断されたとき、出力中の画像データにおける出力状況が保存手段に保存され、選択手段は、出力状況を参照して画像データを選択することを特徴とする請求項２〜６のいずれかに記載の画像処理装置。
【発明の詳細な説明】
【技術分野】
【０００１】
本発明は、入力された画像データを処理して印刷、送信等により出力する画像処理装置に関する。
【背景技術】
【０００２】
複合機等の画像処理装置では、コピー、プリント、スキャン、ファクシミリといった各モードを実行する。画像データが入力されたとき、所望のモードに応じて画像データが処理され出力される。この出力中に、装置にトラブルが発生したり、停電によって電源が遮断されると、出力が遮断される。
【０００３】
例えば、コピーモードやプリントモードの場合、印刷が途中で停止する。トラブルの解消や電源復帰によって、出力可能な状態になると、印刷が再開される。このとき、画像データを最初から印刷すると、同じページが印刷されることになり、無駄な印刷となる。これを防ぐために、特許文献１では、１ページ印刷する毎に印刷済み情報を記憶しておき、出力の遮断後、出力を再開するとき、印刷済み情報に基づいて印刷済みでないページから印刷を行う。
【特許文献１】特開平１１−２１２７４０号公報
【発明の開示】
【発明が解決しようとする課題】
【０００４】
出力が遮断される原因として、紙詰まりや停電といったハード的なトラブルだけでなく、画像処理装置に搭載されたＣＰＵのソフト的なトラブルもある。ハード的なトラブルの場合、原因が解消すれば、出力可能な状態に復帰できる。この場合、出力が遮断された画像データの出力を続行すればよい。
【０００５】
一方、ソフト的なトラブルとしては、例えば大量の画像データが入力された場合や特定のアプリケーションソフトウェアによって作成された画像データと装置のＣＰＵとの相性が悪い場合に、フリーズ等のハングアップが起こり、出力が遮断される。この場合、電源を再投入してリセットし、出力可能な状態になったとき、同じ画像データを処理しようとすると、再度ハングアップするおそれがある。入力されて保存されている画像データは、待機中のまま、いつまでも出力されない。
【０００６】
本発明は、上記に鑑み、出力が遮断された後、出力可能な状態になったとき、出力中であった画像データにとらわれず、入力された画像データを出力できるようにした画像処理装置の提供を目的とする。
【課題を解決するための手段】
【０００７】
本発明は、画像データを入力する入力手段と、入力された画像データを保存する保存手段と、保存された画像データを処理して出力する出力手段と、出力手段から出力中にこの出力が遮断された後、出力可能な状態になったとき、出力する画像データを保存されている画像データの中から選択する選択手段とを備えたものである。
【０００８】
保存されている画像データには、出力が遮断されたときに出力中であった画像データも含む。これにより、選択手段は、出力を遮断された画像データおよび待機中の画像データの中から選択する。出力中であった画像データ以外の画像データを選択することができるので、出力再開時の状況に応じて、至急を要するといったような必要な画像データを出力することができる。そのため、出力中であった画像データを出力しないという選択肢が増え、ユーザの要望に応えることができる。
【０００９】
選択手段は、複数の画像データを選択可能とされる。複数の画像データが選択されると、待機中の画像データを連続して出力することができ、処理が滞ることを防止できる。このとき、出力中であった画像データを含めることもできる。
【００１０】
選択手段は、出力を遮断された画像データを選択したとき、出力を再開するページを指定する。出力中であった画像データの出力を続けるとき、ページを指定すると、必要なページを出力することができ、必要な情報を早く取得できる。
【００１１】
選択手段は、出力が遮断されたときに出力中であったページを指定する。これにより、まだ出力されていない残りのページを出力することができる。
【００１２】
例えば、出力手段が画像をシート材に印刷して出力する場合、選択手段は、出力が遮断されたときのシート材のジャム状況に応じて出力中であったページを決める。出力中のページがわからない場合、出力中であったページが決められるので、同じページを印刷することがなくなり、無駄な印刷をなくせる。
【００１３】
出力が遮断されたとき、出力中の画像データにおける出力状況が保存手段に保存され、選択手段は、出力状況を参照して画像データを選択する。例えば、出力中の画像データが最後まで出力されたときに出力が遮断されたといったことを出力状況によって判断できる。この場合には、待機中の他の画像データを選択すればよいことがわかる。また、出力状況から出力中であったページを特定でき、ページを指定するときの参考となる。
【発明の効果】
【００１４】
本発明によると、出力が遮断された後、出力可能な状態になったとき、保存されている画像データの中から選択できるので、出力中であった画像データだけでなく、待機中の画像データも出力できる。例えば、至急必要な画像データがあれば、優先的に出力することができる。また、出力中であった画像データが必要なくなった場合、他の画像データを出力できる。したがって、出力再開時の状況に応じて必要な画像データを出力でき、処理効率の高い画像処理装置を実現できる。
【発明を実施するための最良の形態】
【００１５】
本実施形態の画像処理装置を図１に示す。本画像処理装置は、コピーモード、プリントモード、スキャナモードおよびファクシミリモードを有するデジタル複合機であり、原稿を読み取って画像データを入力する画像読み取り部１と、ユーザの入力を受け付ける操作部２と、入力された画像データの印刷を行う画像形成部３と、画像データを保存するハードディスク装置４と、外部機器とのデータ通信を行う通信部５と、ファクシミリ装置６と通信するためのＦＡＸモデム７と、装置全体の制御情報や設定情報等を記憶している管理部８と、装置全体の制御を司るＣＰＵからなる機器制御部９と、各部に規定電圧の電源を供給する電源部１０とを備えている。
【００１６】
画像読み取り部１は、画像データを入力する入力手段として機能し、ＣＣＤ１１といった撮像素子と、原稿台や自動原稿送り装置（ＡＤＦ）にセットされた原稿を検知する原稿検知センサ１２とを有する。ＣＣＤ１１によって読み取られた画像の画像データは画像形成部３に出力される。
【００１７】
操作部２は、操作パネルを備え、各種入力キーからなる入力部１３と、液晶ディスプレイ等の表示部１４とを有する。装置全体の操作や各種設定の入力が行われ、入力内容や装置全体の動作状況が表示される。なお、表示部１４は、タッチパネルとされ、入力部としても機能する。
【００１８】
画像形成部３は、入力された画像データを記憶するローカルメモリ２０と、レーザ走査ユニットを有する印字部２１と、手差しトレイ、カセットトレイを備えた給紙部２２と、排紙トレイを備えた排紙部２３とを有する。
【００１９】
ローカルメモリ２０は、ＳＤＲＡＭ、フラッシュメモリ等の読み書き可能な半導体メモリを用いる。ローカルメモリ２０は、入力された画像データを記憶する領域と、出力するための画像データを記憶する領域とに分割されている。なお、１つのローカルメモリ２０を分割して使用する代わりに、２つのローカルメモリ２０を入力用と出力用として、それぞれ使用してもよい。
【００２０】
入力された画像データはローカルメモリ２０に記憶される。ローカルメモリ２０は、古い画像データに新しい画像データを上書きすることにより、画像データを記憶する。画像データは、画像処理部によって圧縮、伸張、加工等の画像処理が行われ、ローカルメモリ２０に記憶される。画像処理された画像データが印字部２１、ハードディスク装置４あるいは機器制御部９に出力される。印字部２１は、ローカルメモリ２０に記憶された画像データに基づいて、給紙部２２から供給される記録シートに画像を印刷する。この印字部２１は、画像データを出力するための出力手段として機能する。
【００２１】
通信部５は、ネットワークインターフェースカード（ＮＩＣ）を用い、ＬＡＮケーブルを介してルータ、スイッチングハブ等に接続され、パソコン、サーバ等の情報処理装置３０によって形成されたネットワークと接続される。ネットワークは、電話回線網や光ファイバ等の通信回線を介してインターネットに接続される。通信部５は、ネットワーク内の情報処理装置３０とデータの送受信を行うとともに、インターネットを通じて外部の情報処理装置３０やファクシミリ装置３１とデータや電子メールの送受信を行う。
【００２２】
ＦＡＸモデム７は、電話線を介して電話回線網に接続され、外部のファクシミリ装置６とファクシミリ通信を行う。また、ＵＳＢ等の通信インターフェース３２を備え、外部メモリ３３が接続される。通信インターフェース３２は、外部メモリ３３と機器制御部９との間でデータの送受信を行う。これらの通信部５、ＦＡＸモデム７、通信インターフェース３２は、画像データを入力する入力手段として機能するとともに、画像データを出力するための出力手段として機能する。
【００２３】
機器制御部９は、入力された画像データを１つのジョブとし、ジョブを実行する。すなわち、操作部２からの入力や外部機器からのデータ入力に応じて、管理部８に記憶されている情報に基づいて各部を制御して、入力された画像データを処理する。ジョブの実行により、入力された画像データに応じて、コピーモード、プリントモード、スキャナモード、ファクシミリモードのいずれかが実行され、画像が所望の形態で出力される。また、機器制御部９は、電子メールを送受信する機能も有しており、電子メールを通じて画像データの送受信を行える。
【００２４】
ハードディスク装置４は、画像データを一時的に保存する保存手段である。画像データを保存するとき、暗号化処理を行ってもよい。ハードディスク装置４から暗号化された画像データを読み出すとき、画像データは復号化される。
【００２５】
また、ハードディスク装置４は、画像データ以外のデータとして、データの処理に関する管理情報を記憶する。管理情報としては、ファイリング管理情報、送信先管理情報、履歴管理情報である。ファイリング管理情報は、入力された画像データを保存したファイルのリストである。送信先管理情報は、ファクシミリ通信における送信先のリストである。履歴管理情報は、実行した処理内容のリストである。
【００２６】
次に、各モードを実行するときの動作を説明する。まず、コピーモード時には、画像読み取り部１により読み取られた原稿の画像データが、画像形成部３から複写物として出力される。具体的には、読み取り位置にセットされた原稿の画像をＣＣＤ１１によって読み取る。ＣＣＤ１１から出力された画像データは、画像処理部により、ローカルメモリ２０上で画像処理され、出力画像として完成される。一旦ローカルメモリ２０からハードディスク装置４に転送されて保存される。原稿が複数ある場合は、この読み取り、記憶の動作が繰り返される。
【００２７】
その後、操作部２から指示された処理内容に基づいて、ハードディスク装置４に保存された画像データが適切なタイミングで順次読み出され、ローカルメモリ２０に送られる。そして、印字部２１への書き込みタイミングに合わせて、画像データがローカルメモリ２０から印字部２１へと転送され、給紙部２２から供給されたシート材に画像が印刷され、シート材は排紙部２３により排出される。
【００２８】
また、読み取った画像データを複数枚印刷する場合も同様に、画像データが出力画像としてページ単位でハードディスク装置４へ記憶され、出力するモードに合わせてハードディスク装置４からローカルメモリ２０に送られる。ローカルメモリ２０の画像データは、印字部２１への書き込みタイミングに合わせて出力枚数の分だけ繰り返し印字部２１へ転送される。
【００２９】
プリントモード時には、情報処理装置３０から出力された画像データが、出力処理される。すなわち、情報処理装置３０からの画像データが、通信部５により受信される。機器制御部９は、入力された画像データをローカルメモリ２０に送り、出力する画像データとしてページ単位に展開し、一旦ハードディスク装置４に保存する。そして、画像データは、ハードディスク装置４からローカルメモリ２０に送られ、コピーモードの場合と同様にして印字部２１へと転送され、画像がシート材に印刷される。
【００３０】
スキャナモード時には、画像読み取り部１において読み取られた原稿の画像データが、ネットワークを通じて任意の情報処理装置３０にデータ通信される。すなわち、ＣＣＤ１１から出力された画像データは、ローカルメモリ２０上で画像処理されて出力画像として完成され、一旦ハードディスク装置４へ保存される。
【００３１】
保存されている画像データを送信するとき、機器制御部９は、画像データをハードディスク装置４から読み出して、ローカルメモリ２０に送る。そして、操作部２を介して指示されたネットワーク内の送信先との通信を確立させ、通信部５から目的の送信先に画像データを送信する。同様に画像データは、通信部５によりネットワークからインターネットを通じて、外部の情報処理装置３０やファクシミリ装置３１にも送信される。なお、データ通信では、画像データを直接送信するだけでなく、電子メールに添付して、送信することもできる。
【００３２】
また、機器制御部９は、ファクシミリモード時にも同様の動作によって、ＦＡＸモデム７から電話回線を通じてファクシミリ装置６に画像データを送信する。なお、入力手段から入力された画像データが処理されて出力が完了したとき、ハードディスク装置４に保存された画像データは消去される。
【００３３】
なお、プリントモードでは、画像データは情報処理装置等の外部機器から入力される。この場合、画像データは、通信部５を通じて機器制御部９に入力される。画像データは、ＰＤＬ（ページ記述言語）により表現されている。機器制御部９は、図２に示すように、ＰＤＬデータ（スプールデータ）を解析して、ビットマップデータに展開して、印刷ジョブを生成する機能を有する。
【００３４】
画像データを受信した通信部５は、機器制御部９に出力する。機器制御部９のスプールデータ受信部４１は、画像データをスプールデータとして一旦ハードディスク装置４に保存する。ＰＤＬ解析部４２は、スプールデータを印刷対象データとしたＰＤＬファイルを生成するとともに、画像データに含まれるヘッダ情報を解析して、ページ情報管理ファイルを作成する。スプールデータは、先頭のヘッダ情報とこれに続く画像データとから構成される。さらに画像データは、ページ毎に分かれており、各ページの画像データの先頭にもヘッダ情報が付加されている。
【００３５】
ページ情報管理ファイルは、ＰＤＬファイルに貯えられた印刷データをページ単位で印刷できるようにするために、制御コマンド等の制御情報を保存したファイルである。詳しくは、図３に示すように、ページ情報管理ファイルは、ページ毎に生成された制御情報が保存されたページ情報ポインタテーブルと、実際の印刷ジョブに含まれる制御情報が保存されたページ情報データテーブルとから構成される。ページ情報ポインタテーブルには、ページ番号、共通ヘッダ開始位置、共通ヘッダサイズ、固有ヘッダ開始位置、固有ヘッダサイズ、固有フッタ開始位置、固有フッタサイズ、ＰＤＦファイル開始位置、ＰＤＦファイルサイズ等の各情報が保存される。ページ情報データテーブルにおける先頭の共通ヘッダ情報としては、例えばジョブ開始コマンド、印刷部数、片面／両面印刷指定コマンド、複数ページ印刷指定コマンド、フォントデータ登録コマンド等がある。途中のヘッダ情報としては、例えば用紙サイズ、用紙の向き、余白、座標単位等がある。ページ毎のヘッダ情報としては、例えば塗りつぶし等パターン登録、カラーマップ定義、フォント指定、フォントのサイズ／色等の文字属性、線種／色等の図形属性がある。ページ毎のフッタ情報としては、例えばジョブ終了コマンド、領域開放コマンド、描画モード終了コマンド等がある。
【００３６】
印刷ジョブ生成部４３は、ページ情報管理ファイルを用いて印刷ジョブを生成する。印刷ジョブとして、減色法による３原色であるシアン（Ｃ）、マゼンダ（Ｍ）、イエロー（Ｙ）および黒（Ｋ）の色毎にビットマップデータが作成され、ローカルメモリ２０に各色のデータがページ毎に記憶される。プリンタ制御部４４は、印刷ジョブを印字部２１に出力する。そして、プリント制御のため、印字部２１との間で各種の情報を送受信し、印字部２１からエラー情報等を受信する。
【００３７】
プリントモード、コピーモード、スキャナモードにおいて、入力された画像データは、ページ単位で処理される。機器制御部９は、１ページ分の画像データを処理して出力するたびに、このページは出力済みであるといった出力状況の情報を不揮発性メモリに記憶する。
【００３８】
印字部２１では、シート材に印刷するために、シート材が搬送される。印字部２１に、シート材の通過を検出する搬送検知センサが複数設けられている。そして、搬送検知センサの出力に基づいてジャムを検出する検出部４５が設けられ、検出部４５は、ジャムが発生したことを検出すると、異常信号を機器制御部９に出力する。
【００３９】
電源部１０は、図４に示すように、商用電源のＡＣ入力から５Ｖ、２５Ｖ等の規定電圧を発生させて、各部に供給する。すなわち、電源オンによって、入力電圧が所定電圧に達すると、出力電圧は規定電圧となる。このときから所定時間後に、電源部１０は、起動信号であるＰＯＦＦ信号を機器制御部９に出力する。電源オフによって、入力電圧が所定電圧まで低下すると、ＰＯＦＦ信号の出力を停止する。機器制御部９は、電源がオフされたと判断し、終了処理を行う。なお、入力電圧が所定電圧になっても、しばらくの間（約１００ｍｓ）は規定電圧が維持されるので、機器制御部９は動作可能である。
【００４０】
また、電源部１０は、停電等による電源遮断を検出する機能を有している。機器制御部９は、定着装置のヒータの通電制御を行うために、図５に示すように、常にＡＣ入力の零クロスを検出している。ＡＣ入力の周波数に応じたタイミングでＡＣ入力が０Ｖラインを横切るかを検知し、零クロスを検知すると、零クロス信号を発生させる。
【００４１】
機器制御部９は、零クロス信号の有無によって電源遮断を判断する。１サイクルだけ零クロス信号がなかったときは、瞬停と判断し、そのまま動作を続ける。２サイクル以上連続して零クロス信号がなかったときは、停電と判断し、停電処理を行う。停電処理では、各種のデータや情報を不揮発性メモリに記憶する。
【００４２】
停電や装置のハード的あるいはソフト的なトラブルによって、画像データの出力中に出力が遮断された後、電源オン等の復帰動作によって出力可能な状態となる。機器制御部９は、出力を再開するとき、ハードディスク装置４に保存されている画像データの中から出力する画像データを選択する手段を有している。選択の対象となる画像データは、待機中の画像データおよび出力を遮断された画像データである。
【００４３】
この出力遮断から出力再開するときの動作を図６、７にしたがって説明する。画像データが入力されると、指定されたモードによる処理が行われ、処理後の画像データが印刷されて出力される。指定されたモードとしては、コピーモードあるいはプリントモードである。また、ファクシミリモードでの受信の場合もある。
【００４４】
入力された画像データは、ハードディスク装置４に保存される。入力された画像データから印刷ジョブが生成され、印字部２１により印刷されて画像として出力される。この出力中、画像データが入力されると、画像データはハードディスク装置４に保存され、待機中となる。
【００４５】
ここで、印刷中に、出力が遮断される事態、例えば停電が起こる。機器制御部９は、電源遮断を検出すると、停電処理を実行する。すなわち、実行中のモードの設定情報を不揮発性メモリに記憶するとともに、何ページを印刷したといった印刷状況を出力状況情報として不揮発性メモリに記憶する。
【００４６】
停電が解消して、電源復帰となると、機器制御部９は起動し、イニシャル動作を開始する。そして、機器制御部９は、検出部４５や原稿検知センサ１２からの出力により、シート材や原稿のジャムの有無を確認する。ジャムが発生していたとき、図８に示すように、表示部１４に、ジャムの発生を知らせるメッセージを表示し、ジャムの箇所を示した案内画面を表示する。
【００４７】
ジャムの原因となったシート材が取り除かれると、機器制御部９は、検出部４５等の出力からジャムの解除を確認し、不揮発性メモリから印刷状況に関する情報を読み出す。これによって、画像処理装置は出力可能な状態となる。
【００４８】
機器制御部９は、出力を再開するために、出力する画像データを選択する。図９に示すように、出力再開時の選択メニューは３つある。この中から１つの選択メニューを実行するように、予め設定されている。設定された選択メニューの画面が表示部１４に表示される。そして、機器制御部９は、選択メニューにしたがって、選択された画像データあるいは特定の画像データのページを出力するように印刷の制御を行う。
【００４９】
メニュー１では、保存されている全ての画像データ、１つの画像データのいずれかを選択できる。メニュー２では、出力中であった画像データが自動的に選択され、出力したいページを指定できる。メニュー３では、出力中であった画像データが自動的に選択され、出力が遮断されたときのページから出力か、このページの次のページから出力かを指定できる。
【００５０】
メニュー１において、「ジョブを選択」を指定すると、図１０に示すような保存されている画像データである印刷ファイルの一覧が表示される。この中から１つの印刷ファイルを指定すると、画面上に「印刷再開」の操作キーが表示される。これを操作すると、指定された印刷ファイルの印刷ジョブが生成され、印刷が行われる。このとき、待機中の印刷ファイルだけでなく、出力中であった印刷ファイルを指定することも可能であり、印刷ファイルの全ページが印刷される。
【００５１】
「全てのジョブ」を指定すると、図１１に示すような保存されている画像データである印刷ファイルが全て指定された形態で表示される。画面上の「印刷再開」の操作キーを操作すると、全ての印刷ファイルに対する印刷ジョブが生成され、印刷が行われる。これにより、ハードディスク装置４に保存されていた全ての画像データが処理されて出力される。この場合、出力中であった印刷ファイルも含まれる。
【００５２】
メニュー２においては、好きなページを指定できる。指定されたページ以降の印刷ジョブが生成され、印刷が行われる。出力中であったページがわかっている場合、ページを指定することにより、印刷済みのページを再度印刷することなく、残りのページを印刷できる。
【００５３】
メニュー３において、「中断したページ」を指定すると、印刷状況に関する情報から出力中であったページが決められ、このページを含めて以降のページの印刷ジョブが生成され、印刷が行われる。「次のページ」を指定すると、出力中であったページの次のページからの印刷ジョブが生成され、印刷が行われる。したがって、出力中であったページがわからない場合に、自動的に残りのページを印刷することができる。
【００５４】
ところで、「中断したページ」と「次のページ」の選択は、出力中であったページが印刷完了しているか否かによって決める。この判断は、印刷状況に関する情報に基づいて行える。機器制御部は、出力遮断となったときのジャムの箇所に基づいて、どのページが印刷されたかを判断する。すなわち、印字部において、ジャムの箇所が定着装置よりも下流側であると、ジャムしたページは印刷完了と判断する。ジャムの箇所が定着装置よりも上流側であると、ジャムしたページは印刷されていないと判断する。出力であったページが前者の場合、「次のページ」を指定する。後者の場合、「中断したページ」を指定する。これによって、出力を再開したとき、同じページが印刷されることがなくなる。
【００５５】
なお、出力再開時に実行される選択メニューとして、１つの選択メニューが予め設定されているが、出力再開時に３つの選択メニューを表示して、この中から１つの選択メニューを選択できるようにしてもよい。
【００５６】
以上のように、出力が遮断された後、出力可能な状態になったとき、出力中であった画像データだけでなく、待機中であった他の画像データからも任意に出力を再開することができ、選択肢が広がり、ユーザの要望に応えることができる。すなわち、出力中であった画像データの出力が不要になった場合、他の画像データを選択すればよく、待機している画像データを処理することができ、装置として処理効率が向上する。
【００５７】
画像データに起因するソフト的なトラブルによってハングアップして、出力が遮断されたような場合、この画像データを選択すれば、再びハングアップするおそれがあるが、この画像データを無視することにより、トラブルを防止できる。この画像データは出力せずに、削除するとよい。
【００５８】
なお、本発明は、上記実施形態に限定されるものではなく、本発明の範囲内で上記実施形態に多くの修正および変更を加え得ることは勿論である。画像処理装置として、コピーモードおよびファクシミリモードを有する複合機であってもよく、さらにはプリンタ、コピー機、ファクシミリ装置といったように単一のモードだけの専用機であってもよい。
【００５９】
出力の遮断は、コピーモードやプリントモードだけでなく、スキャナモードやファクシミリモードの送信時でも、原稿詰まり、通信エラーといった原因で起こる。これらのモードの場合でも、同様に出力する画像データを選択すればよい。このとき、待機中の画像データを選択すれば、処理の効率化を図れる。出力中であった画像データは、再度入力してから出力する。
【００６０】
また、上記実施形態では、ユーザの指示によって機器制御部が画像データを選択したが、機器制御部によって自動的に選択するようにしてもよい。機器制御部は、検出部や原稿検知センサの出力の有無から検知して、出力が遮断された原因をハード的なトラブルかソフト的なトラブルかを判断する。そして、ソフト的なトラブルが原因の場合には、待機中の他の画像データを選択する。ハード的なトラブルが原因の場合には、出力中であった画像データを選択する。このとき、出力中であったページを判断し、このページを含めて出力する。
【図面の簡単な説明】
【００６１】
【図１】本発明の画像処理装置の概略構成を示す図
【図２】ＰＤＬデータ印刷ジョブを生成するための制御ブロック図
【図３】ページ情報管理ファイルの構成を示す図
【図４】電源オンオフによる電圧の変化および起動信号の出力を示す図
【図５】停電の検出を説明するための図
【図６】出力の遮断後、出力再開時における画像データ選択のフローチャート
【図７】画像データを選択するときのフローチャート
【図８】ジャムメッセージの画面を示す図
【図９】３つの選択メニューの画面を示す図
【図１０】画像データを選択するときのファイル一覧画面を示す図
【図１１】全てのファイルを選択したときのファイル一覧画面を示す図
【符号の説明】
【００６２】
１    画像読み取り部
２    操作部
３    画像形成部
４    ハードディスク装置
５    通信部
９    機器制御部
１０    電源部
１２    入力部
１３    表示部
２０    ローカルメモリ
２１    印字部
４５    検出部
【図１】
2007248966.tif 000003
【図２】
2007248966.tif 000004
【図３】
2007248966.tif 000005
【図４】
2007248966.tif 000006
【図５】
2007248966.tif 000007
【図６】
2007248966.tif 000008
【図７】
2007248966.tif 000009
【図８】
2007248966.tif 000010
【図９】
2007248966.tif 000011
【図１０】
2007248966.tif 000012
【図１１】
2007248966.tif 000013